(57)【要約】【課題】入力した撮影コマ画像に基づいて、注文されたメディア出力サービスを行うために必要な記録メディア枚数を報知することができる写真処理システムを提供する。【解決手段】入力された撮影コマ画像をコマ画像管理部の管理のもとで記録メディアに記録する機能を備えた写真処理システム。記録メディアに記録されるデータ量を算出するデータ量算出部４６と、データ量算出部４６で算出されたデータ量に基づいて記録メディアの必要枚数を決定する記録メディア必要枚数決定部４７とが備えられ、記録メディア必要枚数決定部４７で決定された必要枚数が報知される。【選択図】図５
2007232921.tif 000002
【特許請求の範囲】
【請求項１】
入力された撮影コマ画像をコマ画像管理部の管理のもとで記録メディアに記録する機能を備えた写真処理システムにおいて、
前記記録メディアに記録されるデータ量を算出するデータ量算出部と、前記データ量算出部で算出されたデータ量に基づいて前記記録メディアの必要枚数を決定する記録メディア必要枚数決定部とが備えられ、前記記録メディア必要枚数決定部で決定された必要枚数が報知されることを特徴とする写真処理システム。
【請求項２】
前記必要枚数が複数枚の場合、前記コマ画像管理部が各記録メディアに記録する撮影コマ画像の割り振りを管理し、各記録メディアに割り振られた撮影コマ画像を一覧化したインデックス画像がそれぞれの記録メディアに記録されることを特徴とする請求項１に記載の写真処理システム。
【請求項３】
前記インデックス画像を視覚可能に形成したインデックスプリントが前記記録メディアに添付するために出力されることを特徴とする請求項２に記載の写真処理システム。
【請求項４】
前記入力された撮影コマ画像から処理対象となる撮影コマ画像を順次選択する操作画面がモニタ表示され、前記記録メディア必要枚数決定部で決定された必要枚数が複数枚の場合、前記操作画面における撮影コマ画像に対応させて当該撮影コマ画像が記録される記録メディアを特定する指標も表示されることを特徴とする請求項１〜３のいずれか一項に記載の写真処理システム。
【請求項５】
前記コマ画像管理部は前記操作画面を通じての操作入力に基づいて前記撮影コマ画像が記録される記録メディアを変更することを特徴とする請求項４に記載の写真処理システム。
【発明の詳細な説明】
【技術分野】
【０００１】
本発明は、入力された撮影コマ画像をコマ画像管理部の管理のもとで記録メディアに記録する機能を備えた写真処理システムに関する。
【背景技術】
【０００２】
近年、写真ＤＰ店では、顧客から提示された写真フィルムからフィルムスキャナを用いてデジタル化された撮影コマ画像を読み取ったり、デジタルカメラで直接デジタル化された撮影コマ画像を格納しているメモリカードからこのコマ画像を読み取ったりして取得した撮影コマ画像をＣＤ−Ｒ、ＣＤ−ＲＷ、ＤＶＤ−Ｒ、ＤＶＤ−ＲＡＭ、ＤＶＤ−ＲＷなどの記録メディアに記録するメディア出力サービスが展開されている（例えば、特許文献１参照。）。このようなメディア出力サービスは、撮影コマ画像のデジタル処理が可能なデジタルミニラボと呼ばれる写真処理システムにおけるオプション処理として実現されているが、撮影済み写真フィルムからの同時プリント時や、メモリカードからのデジカメプリント時の追加注文処理だけでなく、メディア出力サービスだけの独立した注文処理としても認知されている。
【特許文献１】特開２００３−３４５８９３号公報（段落番号０００１−０００７、図１）
【発明の開示】
【発明が解決しようとする課題】
【０００３】
従来、写真フィルムからデジタル化された撮影コマ画像のデータ容量やデジカメに装着されるメモリカードのデータ容量は、上述した記録メディア１枚分の記録容量に比べて、はるかに小さいものであったので、一度の注文において複数枚の記録メディアが必要になることはあまり考えられていなかった。しかしながら、メディア出力サービスにおいて、入力された撮影コマ画像を単に記録するだけではなく、それに加えて、画像補正された撮影コマ画像や入力された撮影コマ画像を一覧化したインデックス画像をも記録メディアに記録するケースも提案されるようになり、また、デジカメに装着されるメモリカードのデータ容量も年々増加している。このような事情から、一度のメディア出力サービスにおいて、記録メディアの必要枚数が複数枚となるケースが発生するようになった。しかしながら、従来の装置では、実際にデータを記録メディアに書き込む段階に入って初めて複数枚になることがわかり、受け渡し時に顧客との間で料金上のトラブルが生じる要因となってしまう。また、インデックス画像を印画紙などにサムネイルの形態で視覚可能に形成したインデックスプリントが先にプリント出力された場合、1枚のインデックスプリントの内容が複数枚の記録メディアに分かれることになり、インデックスプリントと記録メディアの内容の整合性がとれないという不都合も生じてしまう。
【０００４】
上記実状に鑑み、本発明の課題は、入力した撮影コマ画像に基づいて、注文されたメディア出力サービスを行うために必要な記録メディア枚数を報知することができる写真処理システムを提供することである。
【課題を解決するための手段】
【０００５】
上記課題を解決するため、入力された撮影コマ画像をコマ画像管理部の管理のもとで記録メディアに記録する機能を備えた、本発明による写真処理システムでは、前記記録メディアに記録されるデータ量を算出するデータ量算出部と、前記データ量算出部で算出されたデータ量に基づいて前記記録メディアの必要枚数を決定する記録メディア必要枚数決定部とが備えられ、前記記録メディア必要枚数決定部で決定された必要枚数が報知される。
【０００６】
この構成によれば、メディア出力サービスのために撮影コマ画像が入力されると、入力された撮影コマ画像に関する記録メディアに記録されるべきデータ量が算出され、データ書き込みに使用される記録メディアの書き込み容量に鑑みて算出されたデータ量に基づいてこのメディア出力サービスに必要な記録メディアの枚数が決定され、この必要枚数が、モニタ表示や音声出力で報知される。これにより、オペレータや顧客は、撮影コマ画像を入力した段階で、注文されたメディア出力サービスを行うために必要な記録メディア枚数を知ることができ、予定外の枚数が必要なケースであっても、適正な対処が可能となる。
【０００７】
入力された撮影コマ画像又は画像補正された撮影コマ画像あるいはその両方とともに入力された撮影コマ画像を一覧化したインデックス画像も記録メディアに記録するケースでは、記録メディア必要枚数決定部で決定された必要枚数が複数枚の場合、コマ画像管理部が各記録メディアに記録する撮影コマ画像の割り振りを管理し、各記録メディアに割り振られた撮影コマ画像を一覧化したインデックス画像がそれぞれの記録メディアに記録されるように構成すると好都合である。これにより、入力された撮影コマ画像が複数枚の記録メディアに振り分けられたとしてもそれぞれの記録メディアにはその中に記録された撮影コマ画像に対応したインデックス画像が記録されることになり、１枚の記録メディアに記録された撮影コマ画像とインデックス画像との内容の整合性がとれることになる。さらに、前記インデックス画像を視覚可能に形成したインデックスプリントの出力も要求される場合では、このインデックスプリントをそれぞれの記録メディアに添付することができ、各記録メディアに記録された撮影コマ画像とインデックスプリントとの整合性もとれることになる。
【０００８】
本発明の好適な実施形態の１つでは、前記入力された撮影コマ画像から処理対象となる撮影コマ画像を順次選択する操作画面がモニタ表示され、前記記録メディア必要枚数決定部で決定された必要枚数が複数枚の場合、前記操作画面における撮影コマ画像に対応させて当該撮影コマ画像が記録される記録メディアを特定する指標も表示される。この構成では、モニタの操作画面に順次表示される入力撮影コマ画像を閲覧している時に、閲覧している撮影コマ画像が記録される記録メディアが一枚目のものか二枚目のものかということをその記録メディアを特定する指標、例えばメディア番号や記録メディア変更マークなどによって理解することができる。
【０００９】
さらに、前記コマ画像管理部が前記操作画面を通じての操作入力に基づいて前記撮影コマ画像が記録される記録メディアを変更するように構成するならば、オペレータや顧客による操作により任意の撮影コマ画像を複数枚の記録メディアのいずれかに記録することが可能となり、入力した撮影コマ画像を所望のグループに区分けして、別記録メディアに記録することができる。
本発明によるその他の特徴及び利点は、以下図面を用いた実施形態の説明により明らかになるだろう。
【発明を実施するための最良の形態】
【００１０】
以下、本発明の実施形態を図面に基づいて説明する。
図１に、本発明による写真処理システムの一例が模式的に示されている。この写真プリントシステムは、いわゆるデジタルミニラボと呼ばれる写真プリント装置１００とこの写真プリント装置１００とデータ伝送ラインで接続された写真処理注文受付装置２０とから構成されている。この写真処理注文受付装置２０は、デジタルカメラやカメラ付き携帯電話などのデジタル撮影機器で使用されたメモリカード等の記録メディアに格納された撮影コマ画像（正確には撮影コマ画像の画像データと呼ぶべきであるが撮影コマ画像と略称している）を取り込んで、これらを一覧表示してユーザによるプリント枚数などの写真プリント出力サービスの注文入力及びメディア出力サービスの注文入力を行う写真処理注文操作画面を表示するものである。この実施形態では、写真処理注文受付装置２０において受け付けられた写真処理注文情報（撮影コマ画像と注文属性データ；この注文属性データには例えばプリントサイズやプリント枚数、インデックスプリントの有無、メディア出力サービスの種類、さらには場合によって色補正指示パラメータなども含まれる）は、写真プリント装置１００に送られ、そこで注文通りの写真プリントＰやインデックスプリントＩＰ、記録メディアＭが出力される。
【００１１】
写真プリント装置１００は、印画紙Ｐに対して露光処理と現像処理とを行うプリントステーション１００Ｂと、空の記録メディアＭに撮影コマ画像などのデータを記録する記録装置１００Ｃと、写真処理注文受付装置２０から受け取った写真処理注文情報に含まれている撮影コマ画像に対して注文属性データに基づいて必要な画像処理を施してプリントデータとしてプリントステーション１００Ｂに転送したり、入力された撮影コマ画像や画像処理を施された撮影コマ画像をメディア記録するためにそのデータを記録装置１００Ｃに転送したりする操作ステーション１００Ａとから構成されている。
【００１２】
操作ステーション１００Ａのデスク状コンソールには、受け取った撮影コマ画像の処理を行う機能やプリントステーション１００Ｂや記録装置１００Ｃに画像データや制御コマンドを送る機能などを有するコントローラとしての汎用パソコン４が中核部材として備えられている。
【００１３】
記録装置１００Ｃは、操作ステーション１００Ａのデスク状コンソールに設置されており、図２に示すように、本体１０Ａの上部に配置したプリント部１０Ｐと、本体１０Ａの中間部に配置した書込部１０Ｗと、ＣＤ−ＲやＤＶＤ−Ｒ等のディスク型メディアＭ（記録メディアの一例）の集積部１０Ｃと、このディスク型メディアＭの給排を行うピッカー１１とを備えている。プリント部１０Ｐは、水平方向に出退作動自在なトレイ１２と、このトレイ１２に載置された記録メディアＭの表面（レーベル面）に情報をプリントするインクジェット型のプリントヘッド（図示せず）とを備えている。書込部１０Ｗは、水平方向に出退作動自在なトレイ１３と、このトレイ１３に載置された記録メディアＭに対して情報を書き込む書込ヘッド（図示せず）とを備えている。集積部１０Ｃは、未処理ディスクストッカー１４と、処理済ディスクストッカー１５とを備えている。ピッカー１１は、記録メディアＭを挟持する状態と分離する状態とに切り換え自在に構成されると共に、昇降部１６に沿って昇降自在で、この昇降部１６の縦向きの軸芯を中心として揺動自在に構成されている。この記録装置１００Ｃは、集積部１０Ｃの未処理ディスクストッカー１４にセットされた未処理の記録メディアＭをピッカー１１が挟持して持ち上げ、プリント部１０Ｐのトレイ１２に供給することにより記録メディアＭの表面（レーベル面）にプリントヘッドがタイトルなどのプリントを行う。次に、プリントされた記録メディアＭをピッカー１１で挟持して書込部１０Ｗのトレイ１３に供給してデータを記録する。このプリントと記録とが終了した記録メディアＭを再びピッカー１１で挟持し、このピッカー１１を縦向き姿勢の軸芯周りで揺動させ、集積部１０Ｃの処理済ディスクストッカー１５の上方から下方に送り込む形態で記録メディアＭが集積するよう制御されている。
【００１４】
図３からよく理解できるように、写真プリント装置１００のプリントステーション１００Ｂは、２つの印画紙マガジン３１に納めたロール状の印画紙Ｐを搬送してプリントサイズに切断すると共に、この切断された印画紙Ｐに対しプリントエンジンとしての露光エンジン３２で撮影コマ画像の露光を行い、この露光後の印画紙Ｐを複数の現像処理槽を有した現像処理部３３に送って現像する。乾燥の後に装置上部の横送りコンベア３４からソータに送られた印画紙Ｐは、写真プリントＰ又はインデックスプリントＩＰとして、このソータの複数のトレイにオーダ単位で仕分けられた状態で集積される。上述した印画紙Ｐに対する各種処理に合わせた搬送速度で印画紙Ｐを搬送するために複数のチャッカー搬送ユニット３５ａを含む印画紙搬送機構３５が設けられている。露光エンジン３２は、操作ステーション１００Ａから送られてくるプリントデータに基づいて印画紙Ｐを送りながらＲ（赤）、Ｇ（緑）、Ｂ（青）の３原色の光線の照射を印画紙Ｐに対して行うものであり、露光時には印画紙Ｐを副走査方向に搬送しながら、この搬送速度と同期して主走査方向に沿ったライン状に露光を行うよう構成されている。尚、露光ヘッドとしては、露光仕様に応じて、レーザビーム方式、蛍光ビーム方式、液晶シャッター方式、などの採用が可能であるが、ここではレーザビーム方式が採用されている。さらには、感光プリント技術に代えてインクジェット方式など他のプリント技術を採用してもよい。
【００１５】
写真処理注文受付装置２０は、その正面パネルに、デジタルカメラで使用されている各種メモリカードから撮影コマ画像を取り込むカードドライブユニット２１と、カメラ付き携帯電話に内蔵されているメモリから撮影画像を受け取るためのＵＳＢケーブル２２と、ユーザ操作入力部として機能するキーボード２３と、入力した撮影コマ画像の一覧を含む各種情報を表示するモニタ画面を正面に向けたカラーモニタ２４とこのモニタ２４に装着されたタッチパネル２５と、各種情報シートを出力するプリンタ２６を備えている。これらの各種機器の制御や各種データの処理はこの写真処理注文受付装置２０に内蔵されているコンピュータシステムとして機能するコントローラ４０によって行われる。
【００１６】
図４と図５に示されるように、写真処理注文受付装置２０のコントローラ４０においてハードウエアやソフトウエアによって構築される各機能としては、入力された撮影コマ画像をメモリ４１に展開する画像入力部４２と、撮影コマ画像入力の操作画面やプリント注文やメディア出力注文の操作画面などを含むグラフィック化された操作画面の作成やそのようなグラフィック操作画面を通じてのユーザ操作入力から制御コマンドや管理データを生成するグラフィックユーザインターフェース（以下ＧＵＩと略称する）を構築するＧＵＩ部４３と、入力された撮影コマ画像を管理するコマ画像管理部４４と、入力された撮影コマ画像から操作画面用の縮小版撮影コマ画像を生成するなどの画像処理をコマ画像管理部４４の管理の下で行う画像処理部４５と、メディア出力サービスが要求された際に入力撮影コマ画像に関して記録装置１００Ｃにおいて記録メディアＭに記録されるデータ量を算出するデータ量算出部４６と、このデータ量算出部４６で算出されたデータ量に基づいて記録メディアの必要枚数を決定する記録メディア必要枚数決定部４７と、注文入力操作画面を通じて入力された内容に基づいて前述した写真処理注文情報を作成して通信ポートを介して写真プリント装置１００に転送するとともにその注文内容とプリント料金を印字したプリント注文受領書などをプリンタ２６を通じて発行する注文情報作成部４８が挙げられる。
【００１７】
画像入力部４２は、メモリカードが取り込んだ撮影コマ画像にサムネイル画像（低解像度データ）が含まれている場合はモニタ２４での一覧表示などの目的で使用するため撮影コマ画像の本データ（高解像度データ）とリンクしたアドレスで指定されたメモリ４１に展開するが、もしサムネイル画像が含まれていない場合は本データから縮小画像を作り出してサムネイル画像として同様に本データのアドレスとリンクしたアドレスで指定されたメモリ４１に展開する。メモリ４１における撮影コマ画像やサムネイル画像のアドレスはコマ画像管理部４４によって管理されている。
【００１８】
ＧＵＩ部４３は、図６に例示するような注文受付選択画面６０や図７に例示する撮影コマ画像選択画面７０などの操作画面を生成する操作画面生成部４３ａや種々の操作画面を通じて取得した操作コマンドを管理する操作コマンド管理部４３ｂを備えている。注文受付選択画面６０にはプリントソースとしてのメモリカードの種別を選択する領域と種々の写真サービスを選択する領域が配置されている。ここでは、写真サービスとして、プリントソースを介して入力した撮影コマ画像から写真プリントＰの出力を注文する写真プリントサービス、入力した撮影コマ画像をサムネイル画像で視覚可能に一覧化したインデックスプリントＩＰの出力を注文するインデックスプリントサービス、入力した撮影コマ画像や補正された撮影コマ画像やインデックス画像を記録メディアＭに記録するメディア出力サービスが提供されており、顧客はこの注文受付選択画面６０を通じて希望のサービスを選ぶことができる。
【００１９】
注文受付選択画面６０でメディア出力サービスが選択された場合、データ量算出部４６はインデックス画像の有無や入力撮影コマ画像と補正撮影コマ画像の両方又はいずれかが記録メディアＭに記録されるかを判断して、記録メディアＭに記録されるべきデータ量を算出する。記録メディア必要枚数決定部４７は、使用される記録メディアＭの種別とその記録可能容量をチェックし、このデータ量算出部４６で算出されたデータ量を記録するために必要な記録メディアＭの枚数を決定する。記録メディア必要枚数決定部４７で決定された記録メディアＭの必要枚数は、図８に例示するような記録メディア必要枚数表示画面でモニタ２４に表示される。この必要枚数は図示されていないスピーカを通じて音声で報知してもよい。
【００２０】
この撮影コマ画像選択画面７０では、メモリカード１枚分の撮影コマ画像がその画像チェックのために撮影画像表示枠７１に順次表示される。この撮影画像表示枠７１は、図示されていない表示コマ設定欄で選択された表示コマ数だけ配置されるが、図７では、６コマ表示となっている。各撮影画像表示枠７１の上側にはこの撮影画像表示枠７１に表示されている撮影コマ画像のコマ番号又は撮影画像ファイル名を表示するコマ識別コード表示欄７２が配置されている。このコマ識別コード表示欄７２の右側には、記録メディア必要枚数決定部４７で決定された記録メディアＭの必要枚数が複数枚の場合撮影画像表示枠７１に表示されている撮影コマ画像が記録される記録メディアＭを特定する指標Ｒとしての記録メディア特定名を表示する記録メディア特定名表示枠７３も配置されており、例えばこの撮影コマ画像が「Ｎｏ．１」（指標Ｒ）と名付けられた一枚目の記録メディアＭに記録される場合この記録メディア特定名表示枠７３は「Ｎｏ．１」と表示され、「Ｎｏ．２」（指標Ｒ）と名付けられた二枚目の記録メディアＭに記録される場合この記録メディア特定名表示枠７３は「Ｎｏ．２」と表示される。なおこの記録メディア特定名表示枠７３はプルダウンメニュとして構成されており、記録メディア必要枚数決定部４７で決定された記録メディアＭの必要枚数が２枚の場合、記録メディア特定名表示枠７３をクリックすることで「Ｎｏ．１」と「Ｎｏ．２」が表示され、対応する撮影コマ画像を記録する記録メディアＭを選択することが可能となっている。
【００２１】
この実施の形態では、各撮影画像表示枠７１の下側には色濃度補正設定エリア７４とプリント枚数設定エリア７５が配置されている。色濃度補正設定エリア７４には「イエロー」、「マゼンタ」、「シアン」、「濃度」の設定枠が設けられており、補正量の「Ｎ」はニュートラルを表し補正なしを意味している。プリント枚数設定エリア７５にはプリント枚数を入力する入力枠が設けられており、この入力枠に「パス」が表示された場合その撮影画像はプリント対象外となっていることを意味している。撮影コマ画像選択画面７０の下方には写真サービス表示欄７６が配置されており、この写真注文で選択された写真サービス名は、この注文に含まれているプリントサイズやインデックスプリントのタイプやメディア出力サービスにおけるメディア種類などが示されている。
【００２２】
撮影コマ画像が記録される記録メディアＭを特定する指標Ｒとして機能する記録メディア特定名表示枠７３の代わりに、あるいは追加的に、図７の例ではコマ識別コード表示欄７２にコマ番号「００４」と「００５」が表示されている２つの撮影画像表示枠７１の境界領域に、記録メディア変更マークとしての区切りライン７７を表示してもよい。この区切りライン７７は、コマ画像管理部４４と記録メディア必要枚数決定部４７の機能により記録容量の満杯が確認された段階で次の記録メディアＭへの切換位置を示すために表示される指標Ｒである。この区切りライン７７を境として撮影コマ画像は異なる記録メディアＭに記録されることになる。区切りライン７７の左右側に記録メディアを特定する名称、例えば「Ｎｏ．１」や「Ｎｏ．２」などを付記すると便利である。区切りライン７７は記録メディア特定名表示枠７３に比べ簡単に実現できるが、記録メディアＭに記録する撮影コマ画像を任意に選択するようなケースには利用できない。
【００２３】
撮影コマ画像選択画面７０において表示されている撮影コマ画像のチェックが終わると、矢印ボタンを押すことにより次の撮影コマ画像のチェックが可能となり、ＯＫボタンを押すことにより、「パス」されなかった撮影コマ画像を含む注文情報が注文情報作成部４８で作成され、写真プリント装置１００に送られる。
【００２４】
図１に示された写真処理システムを構成する写真プリント装置１００の操作ステーション１００Ａの操作は顧客ではなくてＤＰ店のオペレータが行うことになるが、写真処理注文受付装置２０と同等の機能を備えている。このため、写真プリント装置１００からのみ構成される写真処理システムにおいても本発明を適用することが可能である。そのため、この操作ステーション１００Ａのデスク状コンソールには、写真フィルムからデジタル化された撮影コマ画像を取得することができるフィルムスキャナ１２０が備えられているとともに、各種メモリカードやディスク型メディアなどから撮影コマ画像を取得するメディアドライブ１２１は、この写真プリント装置１００のコントローラ４として機能する汎用パソコンに組み込まれている。この汎用パソコン４には、さらに各種情報を表示するモニタ１２４、各種設定や調整を行う際に用いる操作入力部として利用される操作入力デバイスとしてのキーボード１２３やマウス１２５も接続されている。
【００２５】
この写真プリント装置のコントローラ４は、ＣＰＵを中核部材として、写真プリント装置１００の種々の動作を行うための機能部をハードウエア又はソフトウエアあるいはその両方で構築しているが、本発明に特に関係する機能部のブロック図が図９に示されている。このブロック図では、写真処理注文受付装置２０のコントローラ４０で構築されている機能部と実質的に同一でその詳しい説明は流用することができる機能部に関しては同一の図番を付与している。つまり、コントローラ４に構築されている主な機能部は、フィルムスキャナ１２０やメディアドライブ１２１によって読み取られた撮影コマ画像に次の処理のために必要な前処理を施してメモリ４１に展開するとともに写真処理注文受付装置２０が接続された場合には注文情報から取り出された撮影コマ画像をメモリ４１に展開する画像入力部１４２と、前述した注文受付選択画面６０や撮影コマ画像選択画面７０などの各種操作画面を作り出す操作画面生成部４３ａやキーボード１２３やマウス１２５からのユーザ操作入力を処理して適当な操作コマンドに変換する操作コマンド部４３ｂなどを備えたＧＵＩ部４３と、入力された撮影コマ画像を管理するコマ画像管理部４４と、メディア出力サービスが要求された際に入力撮影コマ画像に関して記録装置１００Ｃにおいて記録メディアＭに記録されるデータ量を算出するデータ量算出部４６と、このデータ量算出部４６で算出されたデータ量に基づいて記録メディアの必要枚数を決定する記録メディア必要枚数決定部４７と、ＧＵＩ部４３から送られてきた内部処理コマンドなどに基づいて撮影コマ画像に対して必要な色補正や各種フィルタ処理などの画像処理を施すとともにインデックスプリント用画像データとしてのインデックス画像を生成するインデックス画像処理部１４５ａを備えた画像処理部１４５と、画像処理が完了した処理済み画像データに基づいてプリントステーション１００Ｂに装備されている露光エンジン３２に適したプリントデータを生成するプリントデータ生成部１４８と、入力された生の撮影コマ画像や補正された撮影コマ画像やインデックス画像をＣＤ−ＲやＤＶＤ−Ｒなどの記録メディアＭに書き込み可能な形式に変換して記録装置１００Ｃに転送する記録メディア用データ処理部１４９である。
【００２６】
コントローラ４に上記のような機能を備えさせることにより、この写真プリント装置１００単体で使用しても、メディア出力サービスのために撮影コマ画像が入力されると、選択されたメディア出力サービスの種別に応じて撮影コマ画像に関する記録メディアＭに記録されるべきデータ量がデータ量算出部４６によって算出され、この算出されたデータ量に基づいてこのメディア出力サービスに必要な記録メディアＭの枚数が記録メディア必要枚数決定部４７によって決定され、この必要枚数が、モニタ１２４に表示されたり、音声出力で報知されることになる。これにより、オペレータは、撮影コマ画像をコントローラ４に入力した段階で、注文されたメディア出力サービスを行うために必要な記録メディア枚数を知ることができる。また、モニタ１２４に表示される撮影コマ画像選択画面７０を用いてプレジャッジと呼ばれる撮影コマ画像単位の色補正などの作業時に、この撮影コマ画像選択画面７０の記録メディア特定名表示枠７３を通じて記録メディアＭに記録する撮影コマ画像を任意に選択することができる。
【図面の簡単な説明】
【００２７】
【図１】本発明による写真処理システムの一例を示す外観模式図
【図２】記録装置の外観図
【図３】プリントステーションの構成を模式的に示す断面説明図
【図４】写真処理注文受付装置のコントローラの構成を示す模式図
【図５】写真処理注文受付装置のコントローラに構築された本発明に関する機能を説明する機能ブロック図
【図６】写真サービスを選択する操作画面の一例を示すモニタ画面図
【図７】撮影コマ画像選択画面の一例を示すモニタ画面図
【図８】記録メディア必要枚数を報知するモニタ画面図
【図９】操作ステーションのコントローラに構築された本発明に関する機能を説明する機能ブロック図
【符号の説明】
【００２８】
４３：ＧＵＩ部
４４：コマ画像管理部
４５：画像処理部
４６：データ量算出部
４７：記録メディア必要枚数決定部
１００Ｃ：記録装置
Ｍ：記録メディア
【図１】
2007232921.tif 000003
【図２】
2007232921.tif 000004
【図３】
2007232921.tif 000005
【図４】
2007232921.tif 000006
【図５】
2007232921.tif 000007
【図６】
2007232921.tif 000008
【図７】
2007232921.tif 000009
【図８】
2007232921.tif 000010
【図９】
2007232921.tif 000011